(57)【要約】      （修正有）【課題】所望の光反射性能、拡散性能を維持して鮮明な画像を投影することが可能なスクリーンを備えた画像表示装置を提供する。【解決手段】垂直拡散部１２の表面、即ち入射光の入射面には、反射防止体１３が形成されている。反射防止体１３は、例えば、微細な円錐形状の突起１３ａを多数配列したものからなる。例えば、反射防止体１３はモスアイ（蛾の複眼)構造となっており、こうした微細な突起１３ａによって、空気層を伝播してきた入射光が、屈折率の急激な変化によって垂直拡散部１２に入射せずに反射されてしまうことを防止する。【選択図】図４
2014139596.tif 000002
【特許請求の範囲】
【請求項１】
入射光を少なくとも水平方向に沿って集光させ、入射方向に向けて反射させる水平反射部と、該水平反射光を垂直方向に沿って拡散させる垂直拡散部とを有し、
前記水平反射部と前記垂直拡散部とは互いに異なる面で広がり、かつ重なるように形成され、
前記垂直拡散部の表面には、前記水平反射部に向かう前記入射光の表面反射を防止するための反射防止体が形成されていることを特徴とする指向性反射スクリーン。
【請求項２】
前記反射防止体は微細な凹凸構造を成し、微細な円錐形状の突起を多数配列したものであることを特徴とする請求項１に記載の指向性反射スクリーン。
【請求項３】
前記反射防止体は前記垂直拡散部よりも屈折率が小さいことを特徴とする請求項１に記載の指向性反射スクリーン。
【請求項４】
前記反射防止体はシート状に形成され、前記垂直拡散部の表面に貼着されたことを特徴とする請求項１ないし３いずれか１項記載の指向性反射スクリーン。
【請求項５】
前記反射防止体と前記垂直拡散部の表面との間には、更に平坦化層が形成されていることを特徴とする請求項１ないし４いずれか１項記載の指向性反射スクリーン。
【請求項６】
前記平坦化層は、屈折率が前記垂直拡散部よりも小さく、かつ前記反射防止体よりも大きいことを特徴とする請求項５に記載の指向性反射スクリーン。
【請求項７】
前記水平反射部は、互いに所定の角度で交わる２つの反射面を複数組配列し、前記入射光を２面反射させてなることを特徴とする請求項１ないし６いずれか１項記載の指向性反射スクリーン。
【請求項８】
前記垂直拡散部は、レンズを複数配列したレンズ群からなることを特徴とする請求項１ないし７いずれか１項記載の指向性反射スクリーン。
【請求項９】
入射光を水平方向、および垂直方向に沿って、入射方向に向けて反射させる立体反射部を有し、
前記立体反射部の表面には、該立体反射部に向かう前記入射光の表面反射を防止するための反射防止体が形成されていることを特徴とする指向性反射スクリーン。
【請求項１０】
前記立体反射部は、前記入射光を３面反射させる立方体プリズムを複数個配列したプリズムシートからなることを特徴とする請求項９記載の指向性反射スクリーン。
【請求項１１】
前記水平反射部あるいは、前記立体反射部の表面、または裏面には、反射膜が更に形成されていることを特徴とする請求項１または９記載の指向性反射スクリーン。
【請求項１２】
前記反射防止体は、複数の光学干渉層を積層したものからなることを特徴とする請求項１ないし１１いずれか１項記載の指向性反射スクリーン。
【請求項１３】
前記反射防止体は、透明であることを特徴とする請求項１ないし１２いずれか１項記載の指向性反射スクリーン。
【請求項１４】
請求項１ないし１３いずれか１項記載の指向性反射スクリーンと、該指向性反射スクリーンに入射させる入射光として画像を投影する画像投影手段とを備えたことを特徴とする画像表示装置。
【発明の詳細な説明】
【技術分野】
【０００１】
本発明は、指向性反射スクリーン、およびこれを備えた画像表示装置に関する。
【背景技術】
【０００２】
例えば、プロジェクターなどの画像投影手段と、この画像投影手段から出射された画像光を指向性をもって反射させる再帰性反射スクリーン（以下、指向性反射スクリーンと称する）を組み合わせた画像表示装置が知られている（例えば、特許文献１参照）。こうした画像表示装置では、指向性反射スクリーンに照射された画像信号は、その指向性反射スクリーンで反射されると、水平方向には画像投影手段の位置に集光する。このような反射特性を活かして、２つのプロジェクターを観察者の右眼および左眼の直上または直下に配置するとともに、両眼視差の原理に基づく立体画像信号となる一対の映像信号を、指向性反射スクリーンに照射することによって、特殊な眼鏡を着用することなく、立体映像を鑑賞することができる。
【０００３】
画像表示装置の水平方向の鑑賞範囲を拡張し、多人数で画像を鑑賞することを可能にする構成として、所定の角度で交差した合わせ鏡を配列した合わせ鏡群と異方性拡散体とを組み合わせた指向性反射スクリーンも知られている。こうした指向性反射スクリーンは、画像投影手段からの入射光が異方性拡散体を透過し、合わせ鏡群で反射された後に異方性拡散体を透過して射出するように配置されており、異方性拡散体は、合わせ鏡群の稜線に平行な方向の幅と垂直な方向の幅が異なる微小レンズ群を備えたものが知られている。
【０００４】
更に、複数の画像投影手段から互いに異なる画像を１つの指向性反射スクリーンに向けて投影し、観察者の居る位置に応じて観察可能な画像が違う画像表示装置も知られている（例えば、特許文献２参照）。
図２１は、上述した画像表示装置の仕組みを簡潔に示した模式図を示す。
この画像表示装置２００は、指向性反射スクリーン２０１と、複数の観察者Ａ，Ｂ，Ｃのそれぞれの近傍に配置されたプロジェクター２０２ａ，２０２ｂ，２０２ｃとを備えている。そして、プロジェクター２０２ａから投影された映像光は指向性反射スクリーン２０１で観察者Ａに向けて反射される（図中実線矢印Ｉａ参照）。これによって、プロジェクター２０２ａによって投影された映像を観察者Ａが観察できる。同様に、プロジェクター２０２ｂから投影された映像光は観察者Ｂに向けて、またプロジェクター２０２ｃから投影された映像光は観察者Ｃに向けて、指向性反射スクリーン２０１でそれぞれ反射される（図中実線矢印Ｉｂ，Ｉｃ参照）。
【先行技術文献】
【特許文献】
【０００５】
【特許文献１】特許第４０４１３９７号公報
【特許文献２】特開２００６−１５４１４３号公報
【発明の概要】
【発明が解決しようとする課題】
【０００６】
しかしながら、特許文献１に示したような画像表示装置では、画像投影手段から出射され、指向性反射スクリーンに入射する画像光の一部が、合わせ鏡群まで到達することなく異方性拡散体の表面で反射されてしまうことがあった。例えば、左眼用の画像投影手段から出射された画像光の一部が拡散レンズの表面で反射され、右眼用の画像投影手段の方向に戻ってくることがあった。これは、空気層と異方性拡散体との大きな屈折率差によって、画像投影手段から出射された画像光の一部が異方性拡散体の表面で反射されやすいことが原因である。これによって右目用映像と左目用映像とが混入してしまい、クロストークとなって画像の品位を劣化させてしまうという課題があった。
【０００７】
また、図２１示したような従来の画像表示装置２００では、例えば、プロジェクター２０２ａから投影された映像光のうちの一部が指向性反射スクリーン２０１の表面で正反射（鏡面反射）されてしまい、観察者Ｃにもプロジェクター２０２ａから投影された映像光が見えてしまうことがあった（図中点線矢印Ｅａ参照）。この場合、観察者Ｃは、本来観察すべきプロジェクター２０２ｃから投影された映像光（図中実線矢印Ｉｃ参照）と、本来観察できないプロジェクター２０２ａから投影された映像光（図中点線矢印Ｅａ参照）とが混在した画像が見えてしまう（クロストーク）。これによって、観察者Ｃが観察すべきプロジェクター２０２ｃから投影された映像が大幅に劣化してしまう。
【０００８】
同様に、観察者Ａに対しても、本来観察すべきプロジェクター２０２ａから投影された映像光（図中実線矢印Ｉａ参照）と、プロジェクター２０２ｃから投影され、指向性反射スクリーン２０１で一部が正反射された映像光（図中点線矢印Ｅｃ参照）とが混在した画像が見えてしまうことがあった。なお、図２１（ｂ）においては、プロジェクター２０２ａおよびプロジェクター２０２ｃは同じ高さに設置されているため、出射光の軸線は実際には重なって表現されるが、分かりやすくするために上下方向にずらして記載している。
【０００９】
本発明の一実施形態は、上記課題を解決するためになされたものであって、所望の光反射性能、拡散性能を維持して鮮明な画像を投影することが可能なスクリーンを備えた画像表示装置を提供することを目的とする。
【課題を解決するための手段】
【００１０】
上記課題を解決するために、本発明のいくつかの態様は、次のような指向性反射スクリーン、画像表示装置を提供した。
すなわち、本発明の指向性反射スクリーンは、入射光を少なくとも水平方向に沿って集光させ、入射方向に向けて反射させる水平反射部と、該水平反射光を垂直方向に沿って拡散させる垂直拡散部とを有し、
前記水平反射部と前記垂直拡散部とは互いに異なる面で広がり、かつ重なるように形成され、
前記垂直拡散部の表面には、前記水平反射部に向かう前記入射光の表面反射を防止するための反射防止体が形成されていることを特徴とする。
【００１１】
前記反射防止体は微細な凹凸構造を成し、微細な円錐形状の突起を多数配列したものであることを特徴とする。
また、前記反射防止体は前記垂直拡散部よりも屈折率が小さいことを特徴とする。
【００１２】
前記反射防止体はシート状に形成され、前記垂直拡散部の表面に貼着されたことを特徴とする。
また、前記反射防止体と前記垂直拡散部の表面との間には、更に平坦化層が形成されていることを特徴とする。
また、前記平坦化層は、屈折率が前記垂直拡散部よりも小さく、かつ前記反射防止体よりも大きいことを特徴とする。
【００１３】
前記水平反射部は、互いに所定の角度で交わる２つの反射面を複数組配列し、前記入射光を２面反射させてなることを特徴とする。
また、前記水平反射部および前記垂直拡散部は、前記入射光を３面反射させる立方体プリズムを複数個配列したプリズムシートからなり、該プリズムシートによって前記入射光を前記水平方向および前記垂直方向に沿って反射させることを特徴とする。
【００１４】
前記水平反射部は、互いに所定の角度で交わる２つの反射面を複数組配列してなることを特徴とする。
前記垂直拡散部は、レンズを複数配列したレンズ群からなることを特徴とする。
【００１５】
また、本発明の指向性反射スクリーンは、入射光を水平方向、および垂直方向に沿って、入射方向に向けて反射させる立体反射部を有し、
前記立体反射部の表面には、該立体反射部に向かう前記入射光の表面反射を防止するための反射防止体が形成されていることを特徴とする。
【００１６】
前記立体反射部は、前記入射光を３面反射させる立方体プリズムを複数個配列したプリズムシートからなり、該プリズムシートによって前記入射光を前記水平方向および垂直方向に沿って反射させることを特徴とする。
また、前記水平反射部あるいは、前記立体反射部の表面、または裏面には、反射膜が更に形成されていることを特徴とする。
また、前記反射防止体は、複数の光学干渉層を積層したものからなることを特徴とする。
また、前記反射防止体は、透明であることを特徴とする。
【００１７】
本発明の画像表示装置は、前記各項記載の指向性反射スクリーンと、該指向性反射スクリーンに入射させる入射光として画像を投影する画像投影手段とを備えたことを特徴とする。
【発明の効果】
【００１８】
本発明の指向性反射スクリーン、画像表示装置によれば、所望の光反射性能、拡散性能を維持して鮮明な画像を投影することが可能になる。
【図面の簡単な説明】
【００１９】
【図１】第１実施形態の指向性反射スクリーンを示す斜視図である。
【図２】図１の作用を示す説明図である。
【図３】第１実施形態の画像表示装置を示す説明図である。
【図４】反射防止体の詳細を示す要部拡大断面図である。
【図５】反射防止体の作用を説明する説明図である。
【図６】第２実施形態を示す断面図である。
【図７】他の実施形態を示す斜視図、断面図である。
【図８】他の実施形態を示す要部拡大断面図である。
【図９】他の実施形態を示す要部拡大断面図である。
【図１０】他の実施形態を示す要部拡大断面図である。
【図１１】他の実施形態を示す要部拡大断面図である。
【図１２】他の実施形態を示す要部拡大断面図である。
【図１３】他の実施形態を示す要部拡大断面図である。
【図１４】他の実施形態を示す要部拡大断面図である。
【図１５】他の実施形態を示す要部拡大断面図である。
【図１６】他の実施形態を示す要部拡大断面図である。
【図１７】他の実施形態を示す要部拡大断面図である。
【図１８】モスアイ構造の反射防止体の表面を示す顕微鏡写真である。
【図１９】異方性拡散粘着層を示す顕微鏡写真である。
【図２０】他の実施形態を示す要部拡大断面図である。
【図２１】従来の画像表示装置の作用を示す説明図である。
【発明を実施するための形態】
【００２０】
以下、図面を参照して、本発明の一実施形態に係る指向性反射スクリーン、およびこれを備えた画像表示装置の一実施形態について説明する。なお、以下に示す実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２１】
（第一実施形態）
図１は、本実施形態の指向性反射スクリーンの構成を示す要部拡大斜視図である。
指向性反射スクリーン１０は、例えばプロジェクターなどの画像投影手段から投影された入射光（画像光）を水平方向Ｈに沿って集光し、入射光（画像光）の入射方向に向けて再び反射させる（再帰性）水平反射部１１と、この水平反射光を垂直方向Ｐに沿って拡散させる垂直拡散部１２とを備えている。
【００２２】
水平反射部１１と垂直拡散部１２とは互いに異なる面で広がり、かつ重なるように形成されている。そして、水平反射部１１と垂直拡散部１２とは、接合面（貼り合わせ面）１５を介して接合され、シート状に一体とされている。
こうした指向性反射スクリーン１０は、垂直拡散部１２側が画像投影手段から投影された入射光の入射面、かつ、反射された反射光の出射面とされる。
【００２３】
図２に示すように、水平反射部１１は、互いに所定の角度θ、例えば９０°で交わる２つの反射面１１ａ，１１ｂを複数組配列したものからなる。即ち、プリズム形状を連続させ、その交線となる稜線が垂直方向Ｐに沿って延びるように配置されたものである。こうした水平反射部１１の例としては、輝度上昇フィルムＢＥＦII（住友スリーエム株式会社）などを好ましく適用することができる。
【００２４】
また、反射光を増やすため、図２においてプリズム形状のプロジェクター側（以下、表面と称する場合がある）あるいは、裏面がミラー（鏡面）となっていても良い。上述した輝度上昇フィルムＢＥＦIIは樹脂で形成されているため、プリズム形状に入射してきた光の角度によっては、光が反射せず、透過してしまう虞がある。したがって、プリズム形状にミラーを付け加えることによって、反射光の光量を増加させることができる。このミラーは、例えばアルミニウムを図２に示すプリズム形状の表面、あるいは裏面に蒸着することで容易に形成することができる。
【００２５】
垂直拡散部１２は、例えば、水平方向Ｈに沿って延びる蒲鉾状のレンズ１２ａを垂直方向Ｐに複数並べたレンズ群からなるレンチキュラーシートから構成されていればよい。こうした垂直拡散部１２の屈折率ｎ３は１．５前後のものが一般的であるが、その他の値であっても良い。
【００２６】
図２に示すように指向性反射スクリーン１０に例えばプロジェクター（画像投影手段）３０などから入射光（画像光）Ｌが入射すると、入射光Ｌは垂直拡散部１２を透過して水平反射部１１に達する。水平反射部１１に達した入射光Ｌは、互いに交わる２つの反射面１１ａ，１１ｂに順次反射され、水平方向Ｈには入射した方向に反射される。従って、水平反射部１１全面に達した入射光Ｌは、水平方向Ｈにはプロジェクター３０の光出射位置に集光拡散される。
【００２７】
一方、垂直拡散部１２は、それぞれの蒲鉾状のレンズが反射面１１ａ，１１ｂの交線と直交するように延びており、水平反射部１１で反射された水平方向指向性を保った反射光Ｍは、それぞれのレンズ１２ａによって垂直方向Ｐに向かって拡散され、プロジェクター３０の光出射方向に戻る。こうした構造によって、プロジェクター３０の直下に画像の観察者がいた場合でも、指向性反射スクリーン１０に投影された画像を観察することが出来る。
【００２８】
こうしたプロジェクター（画像投影手段）３０を、例えば右眼用プロジェクター３０Ｌと左眼用プロジェクター３０Ｒの２つのプロジェクターを用い、指向性反射スクリーン１０と組み合わせて画像表示装置１を構成する。そして、これら２つのプロジェクター３０Ｌ，３０Ｒからそれぞれ両眼の視差に対応した画像を投影することによって、図３に示すように、観察者Ｈが立体視メガネなど特殊な器具を用いなくても、立体的な画像を観察可能な３Ｄ画像表示装置を実現できる。
【００２９】
再び図１を参照して、指向性反射スクリーン１０を構成する垂直拡散部１２の表面、即ち入射光の入射面には、反射防止体１３が形成されている。図４は、反射防止体を示す拡大断面図である。反射防止体１３は、例えば、微細な円錐形状の突起１３ａを多数配列したものからなる（図１８に示す顕微鏡写真を参照）。例えば、反射防止体１３はモスアイ（蛾の複眼)構造となっており、こうした微細な突起１３ａによって、空気層を伝播してきた入射光が、屈折率の急激な変化によって垂直拡散部１２に入射せずに反射されてしまうことを防止する。
【００３０】
反射防止体１３を構成するモスアイ構造とは、例えば、高さｈが数百ｎｍ程度の凹凸構造であり、プロジェクターからの入射光の波長をλ、凹凸の形成周期（形成ピッチ）をａとすると、ａ＜λとなるように設計されている。
【００３１】
ここで、図５に示すように、空気層（屈折率ｎ１＝１)とガラス基板（屈折率ｎ２）との間に、高さｈのモスアイ構造をもつ反射防止体が形成されている場合を想定すると、モスアイ構造内での屈折率は図５の右側に示したグラフのように、１からｎ２へと緩やかに変化することが一般的に知られている。
【００３２】
こうしたモスアイ構造が無く、空気層とガラス基板が直接接触している場合には、空気層とガラス基板の屈折率差に応じた表面反射が発生するが、図５のようにモスアイ構造を垂直拡散部の表面、即ち垂直拡散部と空気層との間に形成することによって、表面反射を抑制することが出来る。
【００３３】
同様に、プロジェクターから出射された光（入射光）が指向性反射スクリーン１０に入射する場合も、プロジェクターからの入射光は、モスアイ構造が形成された反射防止体１３（屈折率ｎ３)の界面に到達するが、こうしたモスアイ構造により、屈折率がｎ１からｎ３へ緩やかに変化するため、表面反射が抑制され、プロジェクターから出射された光（入射光）の殆どが反射する（損失する）ことなく、垂直拡散部１２に入射され、水平反射部１１に達することができる。
【００３４】
これらの作用と同等の効果を得るために、屈折率を段階的に変化させることも好ましい。即ち、空気層の屈折率ｎ１＝１．０とした時に、反射防止体１３の屈折率ｎ２＝１．３、垂直拡散部１２の屈折率ｎ３＝１．５など、反射防止体１３の屈折率が空気層よりも大きく、またも垂直拡散部１２の屈折率が反射防止体１３よりも大きくなるような材料を用い、屈折率を段階的に変化させる構成も好ましい。
【００３５】
以上のように、本発明の指向性反射スクリーン、画像表示装置によれば、プロジェクターなど画像投影手段から出射された光（入射光）が指向性反射スクリーン１０に入射する際に、垂直拡散部１２の表面に反射防止体１３が形成されているので、表面反射が抑制され、入射光が殆ど反射されることなく垂直拡散部１２に入射され、水平反射部１１に達することができる。これによって、より高画質の表示映像を得ることができる。
【００３６】
また、プロジェクター（画像投影手段）３０を、例えば右眼用プロジェクター３０Ｌと左眼用プロジェクター３０Ｒの２つのプロジェクターを用いた立体表示装置において、垂直拡散部１２の表面での反射光を抑制することによって、右目用映像と左目用映像とが混入（クロストーク）することで画像の品位を劣化することがなく、高品位で鮮明な立体画像を投影することが可能になる。
【００３７】
図１７（ａ），（ｂ）に示すように、上述した指向性反射スクリーン１０は、複数の観察者Ａ，Ｂ，Ｃのそれぞれに対応したプロジェクター３０ａ，３０ｂ，３０ｃによって、観察者ごとに互いに異なる画像、あるいは異なる視点の画像をクロストークすることなく鮮明に投影することもできる。
【００３８】
即ち、観察者Ａに対してはプロジェクター３０ａから投影され、指向性反射スクリーン１０で反射された画像光（反射光）Ａのみ観察できる。また、観察者Ｂに対してはプロジェクター３０ｂから投影され、指向性反射スクリーン１０で垂直反射された画像光（反射光）Ｂのみ観察できる。更に観察者Ｃに対してはプロジェクター３０ｃから投影され、指向性反射スクリーン１０で反射された画像光（反射光）Ｃのみ観察できる。
【００３９】
これによって、複数の観察者のそれぞれに適切な画像を、１つの指向性反射スクリーン１０で鮮明に観察することができる。例えば、プロジェクター３０ａから投影された投影光が指向性反射スクリーン１０に入射する前に表面反射され、観察者Ｃの方向に向かってしまい、観察者Ｃが本来観察する画像光（反射光）Ｃと混合（クロストーク）して画像を劣化させることを効果的に防止することができる。
【００４０】
なお、こうした反射防止体１３は、垂直拡散部１２の表面に一体に形成されていても、あるいはシート状の反射防止体１３を垂直拡散部１２の表面に貼着するなどして形成されていても良い。
以下、反射防止体の他の実施形態を例示する。
【００４１】
（第二実施形態）
図６は、他の実施形態の指向性反射スクリーンの構成を示す要部拡大斜視図である。
この指向性反射スクリーン４０は、蒲鉾状のレンズ４１ａを垂直方向に複数並べたレンズ群を備えたレンチキュラーシートからなる垂直拡散部４１と、プリズム反射シートからなる水平反射部４２とが接合されてなる。そして、垂直拡散部４１の表面には、モスアイ構造を多数形成した反射防止体４３が、平坦化層４４を介して形成されている
【００４２】
平坦化層４４は、隣接する蒲鉾状のレンズ４１ａどうしの境界部分の溝を埋め、反射防止体４３が形成される側に平坦面Ｆを形成する。これによって、反射防止体４３に大きな凹凸が生じることなく平坦に形成することができ、所定の反射防止機能を発揮することができる。
【００４３】
こうした平坦化層４４は、例えば空気層の屈折率ｎ１＝１、反射防止体４３の屈折率ｎ２＝１．３、垂直拡散部４１の屈折率ｎ３＝１．５としたときに、反射防止体４３の屈折率よりも大きく、かつ垂直拡散部４１の屈折率よりも小さい屈折率の材料から構成されればよい。これによって、空気層から入射した入射光は、反射防止体４３、平坦化層４４と進むにつれて段階的に屈折率が大きくなり、急激な屈折率の変化によって入射光が水平反射部４２に達する前に反射されてしまうことを防止できる。
【００４４】
（他の実施形態）
第一実施形態に示したプリズム形状（合わせ鏡構造）以外にも、例えば、図７（ａ）に示すように、立体反射部であるコーナーキューブ（立方体プリズム）５１から構成してもよい。こうしたコーナーキューブ（立体反射部）５１を微細ピッチ（通常、ナノメートル(ｎｍ)オーダー〜マイクロメートル（μｍ）オーダー)で縦横に配列されたコーナーキューブシート（プリズムシート）５２から立体反射部を構成すればよい（図７（ｂ）参照）。
【００４５】
このコーナーキューブ（立体反射部）５１は、３つの反射面５１ａ，５１ｂ，５１ｃが５１ａ，５１ｂが第一実施形態のプリズム形状と同様に、そして５１ｃが５１ａ，５１ｂとそれぞれ垂直になるように形成されている。プロジェクター５６から出射されコーナーキューブ５１に入射した入射光は、全ての反射面（３つの面）に順次当たる（図中で反射を示す記号ｍ１〜ｍ３参照）。そして、入射光の入射方向に向けて反射光を出射させる。
【００４６】
図１５（ａ），（ｂ）には、こうしたコーナーキューブ５１を多数配列したコーナーキューブシート５２を用いた画像表示装置５４を示す。図１５（ａ）は垂直方向に沿った上面から見た図であり、図１５（ｂ）は水平方向に沿った側面から見た図である。コーナーキューブシート５２は、プロジェクター（画像投影手段）５６からコーナーキューブシート５２を備えた指向性反射スクリーン５９に入射された入射光（図中の実線参照）を水平方向および垂直方向ともに指向性を保ったまま反射させる（図中の点線参照）。なお、この図１５（ａ），（ｂ）においては、コーナーキューブシート５２に入射された入射光（図中の実線）と、コーナーキューブシート５２で反射された反射光（図中の点線参照）を、見易いようにずらして表現しているが、実際には重なった範囲である。
【００４７】
このような構成によって、プロジェクター５６から出射された光は、コーナーキューブシート５２によってプロジェクター５６の方向に反射される。従って、本実施形態においては、プロジェクター５６の近傍でのみ選択的に映像を観察することができる。そして、こうしたコーナーキューブシート５５を用いた画像表示装置５４においても、コーナーキューブシート５２の表面には、反射防止体５８が設けられている。コーナーキューブシート５２の表面に反射防止体５８を設けることによって、プロジェクター（画像投影手段）５６から出射された光の一部がコーナーキューブシート５２表面で正反射されてしまうことを防止し、鮮明な画像を表示することが可能になる。
【００４８】
なお、図７（ｂ）に示すように、コーナーキューブシート５２の表面に、更にレンチキュラーシートなどからなる垂直拡散部５３を形成することも好ましい。このような実施形態では、反射防止体５８は、コーナーキューブシート５２の表面、または垂直拡散部５３の表面に形成されていれば良い。コーナーキューブシート５２の表面に垂直拡散部５３を形成することによって、プロジェクター５６の近傍に加えて、プロジェクター５６の垂直方向に沿った広い範囲で鮮明な映像を観察することが可能になる。
【００４９】
（他の実施形態）
図８に示すように、垂直拡散部６１に形成した反射防止体６２を構成する微細な凹凸（突起）６２ａは、垂直拡散部６１の垂直方向Ｐに向けて延びる細長い突条から構成されていてもよい。
【００５０】
（他の実施形態）
図９に示す指向性反射スクリーン７０は、第一実施形態と同様に水平反射部７１と、垂直拡散部７２とを接合してなるが、垂直拡散部７２は表面が蒲鉾状のレンチキュラーシート（屈折率ｎ２)であり、この垂直拡散部７２の上に低反射層（反射防止体：屈折率ｎ３)７３を形成した例である。ここで、図９のＡ−Ａ付近の拡大図を図１０に示す。また、プロジェクター（画像投影手段）からの光を１と設定し、空気の屈折率ｎ１＝１、ｎ２＝１．４、ｎ３＝１．５とすると、空気層と低反射層７３との界面での反射Ｒ１は下記の式１で表される。
【００５１】
【数１】
2014139596.tif 000003
【００５２】
次に、低反射層７３に入射した光（１−０．０２８＝０．９７２)は、垂直拡散部７２との界面まで達する。低反射層７３と垂直拡散部７２との界面での反射Ｒ２は、下記の式２ように表わされる。
【００５３】
【数２】
2014139596.tif 000004
【００５４】
このＲ２のうちのほとんどが空気層まで反射されるため、観察者Ｈの目に入る反射光Ｒは、下記の式３ようになる。
【００５５】
【数３】
2014139596.tif 000005
【００５６】
低反射層７３を形成しなかった場合（従来例）では、空気層（屈折率ｎ１)と垂直拡散部（レンチキュラーシート：屈折率ｎ３)の界面での反射は４％にも達する。このため、本実施形態のように、空気層と垂直拡散部７２との間に低反射層７３を形成することによって、入射光の表面反射を効果的に抑制することが可能になる。
したがって、こうした指向性反射スクリーン７０を図１、３のような立体映像表示装置に適用することで、より鮮明な高画質の表示映像を得ることができる。
【００５７】
（他の実施形態）
図９に示す低反射層に加えて、更に別な低反射層を重ねて形成しても良い。
図１１に示す指向性反射スクリーン８０では、垂直拡散部８２（屈折率ｎ３)に重ねて２つの低反射層（反射防止体）８３（屈折率ｎ２)，８４（屈折率ｎ５)が形成されている。空気層（屈折率ｎ１)とすると、これらの屈折率の関係がｎ１＜ｎ５＜ｎ２＜ｎ３となるように構成されていればよい。
【００５８】
これによって、空気層から２つの低反射層８３，８４を介して垂直拡散部８２に至る入射光の光路において、屈折率が徐々に変化するために、途中で入射光が反射される割合を低減することが可能になる。
なお、こうした低反射層（反射防止体）は、更に３層以上、複数層重ねて形成することも好ましい。
【００５９】
（他の実施形態）
図１２は、反射防止体として光学干渉層を適用した実施形態を示す説明図である。
この実施形態においては、指向性反射スクリーン９０を構成する入射光Ｌは、光学干渉層（反射防止体）９１の表面Ｆ１と、垂直拡散部９２および光学干渉層９１の界面Ｆ２で反射する。この表面反射光と界面反射光の位相を逆転させ打ち消しあうことで、画像の品質を劣化させる反射光を軽減することができる。
このときの光学干渉層９１の屈折率（ｎ１）および膜厚（ｄ１）と、垂直拡散部９２の屈折率（ｎ２）とが下記の式４を満たす場合、波長λ（ｎｍ）における反射率が０%となる。
【００６０】
【数４】
2014139596.tif 000006
【００６１】
上記の式４から、光学干渉効果は波長依存性があり、光学干渉層膜厚依存性もあることが分かる。例えば、可視光が３５０ｎｍ〜７５０ｎｍの範囲であると仮定し、上記の式４においてｎ０＝１、ｎ２＝１．５、λ＝５５０ｎｍとするとｎ１＝１．２２であり、ｄ１＝１１２．３ｎｍとなる。しかしながら、この膜厚ｄ１＝１１２．３ｎｍは５５０ｎｍの可視光に対して設計されたものであり、全ての波長の可視光に対しての反射防止効果は得られない。
【００６２】
したがって、図１３に示すように、垂直拡散部９２に重ねて複数の光学干渉層（反射防止体）９１ａ，９１ｂ，９１ｃを形成してもよい。こうした光学干渉層（反射防止体）の形成手段としては、例えば、塗布法による形成あるいは、フィルム貼着法などが例示できる。
【００６３】
また、光学干渉層（反射防止体）への物理的な接触、または塵や指紋などが付着した場合、光学干渉層の屈折率が変化し、表面反射が起こるため、塵や指紋などの拭き取りが行われる。こうした接触や拭き取りなどに対して、十分な硬度を保つため、図１４に示すように、最上層の光学干渉層（反射防止体）９１ａに重ねて更に保護層９３を形成しても良い。こうした保護層９３は、例えばＴＡＣ（トリアセチルセルロース）、ＰＥＴ（ポリエチレンテレフタレート）などの硬質膜から構成されていればよい。
【００６４】
（他の実施形態）
図１６は、他の実施形態の画像表示装置の構成を示す平面図である。図１６（ａ）は垂直方向に沿った上面から見た図であり、図１６（ｂ）は水平方向に沿った側面から見た図である。
この実施形態における指向性反射スクリーン９５は、水平反射部９６および垂直拡散部９７を備え、更に、水平反射部９６の前面側は反射防止体９８ａが、また垂直拡散部９７の前面には反射防止体９８ｂが、それぞれ形成されている。
【００６５】
水平反射部９６は、例えば、図２に示したプリズム形状が連続的に形成されたシート、あるいは図７（ａ）に示す立体反射部であるコーナーキューブが連続的に形成されたシート（コーナーキューブシート）から構成されていればよい。
また、反射防止体９８ａ，反射防止体９８ｂは、例えば、図４に示した微細な円錐形状の突起を多数配列したモスアイ（蛾の複眼)構造や、図９に示した低反射層などから構成されていればよい。
【００６６】
こうした実施形態では、プロジェクター（画像投影手段）９９からの入射光が水平反射部９６に入射する際に生じる表面反射と、垂直拡散部９７に入射する際に生じる表面反射とを、反射防止体９８ａおよび反射防止体９８ｂによってそれぞれ抑制、ないし防止することが可能になる。これによって、指向性反射スクリーン９５の垂直方向の反射と水平方向の反射とを別な反射体で構成した場合においても、より一層鮮明な画像を表示することが可能になる。
【００６７】
また、上述した実施形態においては、垂直拡散部としてレンチキュラーシートを用いた例を示しているが、図１９に示す異方性拡散シートを垂直拡散部として用いることも好ましい。
この異方性拡散シートは、異方性拡散粘着層中に分散された針状フィラーを含み、そのフィラーがシート平面に平行で一方向に配向したものである。この様な針状フィラーを配向させた異方性拡散シートの作用を図２０に示す。異方性拡散シート（垂直拡散部）１０１に入射した光は、異方性拡散粘着層１０２中に分散された針状フィラー１０３によって、針状フィラー１０３の配向方向と直交する方向（図中のＹ方向）に拡散される。このような異方性拡散シート１０１を用いることによって、レンチキュラーシートを用いた場合と同様の垂直拡散効果を得ることができる。
【符号の説明】
【００６８】
１０…指向性反射スクリーン、１１…水平反射部、１２…垂直拡散部、１３…反射防止体。
【図１】
2014139596.tif 000007
【図２】
2014139596.tif 000008
【図３】
2014139596.tif 000009
【図４】
2014139596.tif 000010
【図５】
2014139596.tif 000011
【図６】
2014139596.tif 000012
【図７】
2014139596.tif 000013
【図８】
2014139596.tif 000014
【図９】
2014139596.tif 000015
【図１０】
2014139596.tif 000016
【図１１】
2014139596.tif 000017
【図１２】
2014139596.tif 000018
【図１３】
2014139596.tif 000019
【図１４】
2014139596.tif 000020
【図１５】
2014139596.tif 000021
【図１６】
2014139596.tif 000022
【図１７】
2014139596.tif 000023
【図１８】
2014139596.tif 000024
【図１９】
2014139596.tif 000025
【図２０】
2014139596.tif 000026
【図２１】
2014139596.tif 000027